(57)【要約】【課題】切り目の穿孔精度を上げなくても、切り目の穿孔時におけるデータキャリアのリード線部の切断による製品不良を減少させることができ、また高い穿孔精度が要求されない分製造コストの低減が図れる記録メディア及びその製造方法を提供することにある。【解決手段】記録メディアＭは光ディスク１と、データキャリア２と、該データキャリア２を保持して前記光ディスク１のセンターホール１１を閉塞するように該光ディスク１１のディスク面に固定する絶縁性のシート３と、カバーラベル５とからなり、シート３及びカバーラベル５にはセンターホール１１を閉塞している部位を切り取る切り目７を円周線上に穿孔してある。そして円周線を横断するデータキャリア２のリード線部２１の部位を、互いに並列接続され且つ並行する複数の線路２１ａで構成するとともに、切り目７の間隔を線路２１ａの幅以上としている。【選択図】図１
2006154966.tif 000002
【特許請求の範囲】
【請求項１】
プログラムやデータが記録された光ディスクと、該光学ディスクに対応する情報を記録した無線型のデータキャリアと、該データキャリアを保持して前記光ディスクのセンターホールを閉塞するように該光ディスクのディスク面に固定する絶縁性のシートとから少なくともなり、前記シートは前記センターホールを閉塞している部位を切り取る切り目を前記センターホールと略同心の円周線上に所定の間隔をあけて複数設け、
前記データキャリアはチップ部がセンターホール範囲内に、前記チップ部に接続されるアンテナ部が前記ディスク面の範囲に夫々配置されるとともに、前記アンテナ部と前記チップ部とを接続するリード線部が前記シートの前記円周線を横断して切断自在となっている記録メディアにおいて、
前記切り目を横断する前記リード線部の部位を、互いに並列接続され且つ並行する複数の線路で形成するとともに、前記切り目の間隔を前記線路の幅以上としていることを特徴とする記録メディア。
【請求項２】
請求項１の記録メディアの製造方法において、データキャリアを予め保持している絶縁性のシートで光ディスクのセンターホールを閉塞するように、光ディスクの記録読み出し面とは反対側のディスク面に固定する第１の工程と、
該第１の工程後、前記シートを覆うようにカバーラベルを前記光ディスクの前記ディスク面に固定する第２の工程と、
該第２の工程後、前記センターホールを閉塞している前記カバーラベル及び前記シートの部位を切り取り自在とする切り目を前記センターホールと略同心の円周線上に複数設ける第３の工程とからなることを特徴とする記録メディアの製造方法。
【請求項３】
請求項１の記録メディアの製造方法において、データキャリアを予め保持している絶縁性のシートを、光ディスクのセンターホールに対応するカバーラベルの部位に固定する第１の工程と、
該第１の工程後、前記光ディスクへの固定時に該光ディスクのセンターホールを閉塞する前記カバーラベル及び前記シートの部位を切り取り自在とする切り目を前記センターホールと略同心となる円周線上に複数穿孔する第２の工程と、
該第２の工程後、前記シートで前記センターホールを閉塞するように、前記光ディスクの記録読み出し面とは反対側のディスク面に前記シートとともに前記カバーラベルを固定する第３の工程とからなることを特徴とする記憶メディアの製造方法。
【発明の詳細な説明】
【技術分野】
【０００１】
本発明は、ゲームプログラムや音楽プログラム等が書き込まれ、販売と買い取りの流通サービスの商品となる記録メディア及びその製造方法に関するものである。
【背景技術】
【０００２】
公衆電話機等の各種プリペイドカードが流通しているが、この種のプリペイドカードは使用したときにパンチ孔を穿孔したり、カードの一部を切除することで使用／未使用を判別可能とし、不正使用などを防ぐようになっている（例えば特許文献１）。
【０００３】
一方記録メディアを用いた次のような流通サービスも提案されている。つまりこの流通サービスはＣＤ−ＲＯＭ、ＣＤ−Ｒ、ＤＶＤ等の各種光ディスクからなる記録メディアを販売する販売業者と、記録メディアを購入若しくは贈られた者から未使用のまま買い取ったり、等価物と交換する引き取り業者とで流通を形成し、引き取り業者側で引き取った未使用の記録メディアは販売者側に転売することで未使用の記録メディアを販売者、顧客、引き取り業者において循環流通させるサービスである。
【０００４】
ところで上述のようなプリペイドカードの場合では未使用と使用との識別に、カードに直接孔を空けたり、一部を切除する方法が用いられているが、上記の光ディスクの場合、孔を空けたり、切除する手段が汎用のドライブ装置には備わっておらず、一般的でない。
【０００５】
また光ディスクには、販売業者の識別情報を書き込む識別情報部や、使用状態を確認するための手段が備わっておらず、そのためそのままの形では上述の流通サービスに有効に活用できず、当該流通サービスに適し、且つ汎用のドライブ装置において再生することができる光ディスクからなる記録メディアが希求されていた。
【０００６】
そこで、本出願人は、光ディスクと無線電波（例えばマイクロ波）を用いた無線型（所謂ＲＦ型）のデータキャリアとを組み合わせ、このデータキャリアに販売業者の識別情報や販売日時等の情報を販売時に書き込み、当該光ディスクのプログラム再生を行う場合には、データキャリアの機能を物理的に破壊させなければらならないように光ディスクに対するデータキャリアの取り付け位置や取り付け方法を工夫した記録メディアを既に提案している。
【０００７】
例えば、図５に示すように該データキャリア２を保持して光ディスク１のセンターホール１１を閉塞するように該光ディスク１のディスク面に絶縁性材料からなるシート３を貼り付け固定してとデータキャリア２のチップ部２０をセンターホール１１の範囲内に、チップ部２０に接続されるアンテナ部２２をセンターホール１１の周囲のディスク面に夫々配置する構成とするとともに、センターホール１１を閉塞しているシート３の部位を切り取る切り目７をセンターホール１１と略同心の円周線上に複数設け、切り目７によってセンターホール１１に対応するシート３の部位を切り取ったときに、アンテナ部２２とチップ部２０を接続するリード線部２１が切断され、切り取られたシート３の部位とともにチップ部２０を光ディスク１から分離することができるようにしている。つまりデータキャリア１は物理的に破壊されて機能しなくなり、また光ディスク１はセンターホール１１の閉塞がなくなってドライブ装置による再生が可能となるのである。
【特許文献１】特開２０００−１８２０１５号公報（図１）
【発明の開示】
【発明が解決しようとする課題】
【０００８】
ところで、上述のような構成の場合、データキャリア１を保持したままの状態でシート３に切り目７を穿孔する際に、細いリード線部２１を切断してしまい、不良品となってしまうという恐れがあった。この恐れを解消するためには、切り目７を穿孔する際にリード線部２１を切断しないように穿孔精度を上げる必要があった。
【０００９】
本発明は、上述の点に鑑みて為されたもので、その目的とするところは切り目の穿孔精度を上げなくても、切り目の穿孔時におけるデータキャリアのリード線部の切断による製品不良を減少させることができ、また高い穿孔精度が要求されない分製造コストの低減が図れる記録メディア及びその製造方法を提供することにある。
【課題を解決するための手段】
【００１０】
前記目的を達成するために、請求項１の記録メディアの発明では、プログラムやデータが記録された光ディスクと、該光学ディスクに対応する情報を記録した無線型のデータキャリアと、該データキャリアを保持して前記光ディスクのセンターホールを閉塞するように該光ディスクのディスク面に固定する絶縁性のシートとから少なくともなり、前記シートは前記センターホールを閉塞している部位を切り取る切り目を前記センターホールと略同心の円周線上に所定の間隔をあけて複数穿孔し、前記データキャリアはチップ部がセンターホール範囲内に、前記チップ部に接続されるアンテナ部が前記ディスク面の範囲に夫々配置されるとともに、前記アンテナ部と前記チップ部とを接続するリード線部が前記シートの前記円周線を横断して切断自在となっている記録メディアにおいて、前記切り目を横断する前記リード線部の部位を、互いに並列接続され且つ並行する複数の線路で構成するとともに、前記切り目の間隔を前記線路の幅以上としていることを特徴とする。
【００１１】
請求項１の発明によれば、切り目を円周線上に穿孔する際に、データキャリアのリード線部の一部の線路を少なくとも切り目により切断されないまま残すことができ、そのため切り目の穿孔時にデータキャリアのチップ部とアンテナ部とが切り離されて製品不良となるのを防ぐことができ、その結果製品不良が減少し、また切り目の穿孔精度を高める必要がなくなるため、穿孔作業が容易となり、その分製造コストの低減化が図れ、更にまた上記一本一本の線路の幅を小さくすることができるため、切り目で囲まれた部位を切り取るときに線路の切断部位に殆どバリが発生せず、そのため光ディスクをドライブ装置に装着して再生する際にセンターホール内に臨むバリが殆どないため、ドライブ装置の装着時におけるトラブル発生の心配がない。
【００１２】
請求項２の記録メディアの製造方法の発明では、請求項１の記録メディアの製造方法において、データキャリアを予め保持している絶縁性のシートで光ディスクのセンターホールを閉塞するように、光ディスクの記録読み出し面とは反対側のディスク面に固定する第１の工程と、該第１の工程後、前記シートを覆うようにカバーラベルを前記光ディスクの前記ディスク面に固定する第２の工程と、該第２の工程後、前記センターホールを閉塞している前記カバーラベル及び前記シートの部位を切り取り自在とする切り目を前記センターホールと略同心の円周線上に複数設ける第３の工程とからなることを特徴とする。
【００１３】
請求項２の発明によれば、メディアにカバーラベル及びデータキャリアを保持している絶縁性のシートを固定した状態で切り目の穿孔を行うため、該穿孔時に絶縁性のシートやカバーラベルを安定保持するための部材として光ディスク自体を使用できるため、穿孔加工が容易に行え、カバーラベルを安定保持する手段を別途用意して穿孔するような高価な設備を用いることなく記録メディアの製造ができることになる。
【００１４】
請求項３の記録メディアの製造方法の発明では、請求項１の記録メディアの製造方法において、データキャリアを予め保持している絶縁性のシートを、光ディスクのセンターホールに対応するカバーラベルの部位に固定する第１の工程と、該第１の工程後前記光ディスクのセンターホールを閉塞する前記カバーラベル及び前記シートの部位を切り取り自在とする切り目を切り取り対象部位の外周縁に沿った円周線上に複数設ける第２の工程と、該第２の工程後、前記シートで前記センターホールを閉塞するように、前記光ディスクの記録読み出し面とは反対側のディスク面に前記シートとともに前記カバーラベルを固定する第３の工程とからなることを特徴とする。
【００１５】
請求項３の発明によれば、光ディスクに固定する前の状態でカバーラベル及びデータキャリアを保持しているシートに対する切り目の穿孔を行うため、切り目加工によるトラブルが発生しても当該カバーラベル及びシートを廃棄するだけで良く、結果光ディスクを含めた製品不良の発生がなくなる。
【発明の効果】
【００１６】
本発明は、切り目を円周線上に穿孔する際に、データキャリアのリード線部の一部の線路を少なくとも切り目により切断されないまま残すことができ、そのため切り目の穿孔時にデータキャリアのアンテナ部とチップ部とが切り離されて製品不良となるのを防ぐことができ、その結果製品不良が減少し、また切り目の穿孔精度を高める必要がなくなるため、穿孔作業が容易となり、その分製造コストの低減化が図れ、更にまた上記一本一本の線路の幅を小さくすることができるため、切り目で囲まれた部位を切り取るときに線路の切断部位に殆どバリが発生せず、そのため光ディスクをドライブ装置に装着して再生する際にセンターホール内に臨むバリが殆どないため、ドライブ装置の装着時におけるトラブル発生の心配がない記録メディアを提供でき、また高価な設備なしで製造できたり、或いは製品不良の発生をなくして歩留まりを向上させた製造ができる。
【発明を実施するための最良の形態】
【００１７】
以下本発明を実施形態により説明する。
【００１８】
図１（ａ）〜（ｂ）は、本実施形態の記録メディアＭを示しており、本実施形態の記録メディアＭは外形が長方形の汎用の光ディスク＜例えばゲームプログラムや音楽プログラム再生専用或いはデータ再生用のＣＤ−ＲＯＭ（或いはオーディオＣＤ）＞１と、この光ディスク１に取り付ける上述のＲＦ型のデータキャリア２とから構成され、光ディスク１の保護膜面上にはデータキャリア２を保持する円形の絶縁性材料からなるシート３を感圧接着層４により貼り付け、更にシート３の表面及びその周辺のディスク面には光ディスク１よりやや小さな相似形状のカバーラベル５を感圧接着層６により貼り付けてある。
【００１９】
本実施形態に用いるデータキャリア２はチップ部２０と、このチップ部２０の両端から導出された一対のリード線部２１，２１と、一方のリード線部２１の先端に一端が連なり、他方のリード線部２１の先端に他端が連なり、チップ部２０を中心にしてチップ部２０を囲むように形成された渦状のアンテナ部２２とからなるもので、前記シート３の裏面に貼り付けられて該シート３を介して光ディスク１に取り付けられるようになっている。そしてシート３をディスク面の所定位置に貼り付けたときに、センターホール１１の略中心にチップ部２０が位置し、またチップ部２０の両側から延設してある対のリード線部２１，２１の一端がセンターホール１１と金属反射膜層１０との間の部位上に位置し且つアンテナ部２２が当該部位上に位置するようにデータキャリア２のシート３への貼り付け位置、リード線部２１，２１の長さ、アンテナ部２２の大きさが定められている。
【００２０】
またディスク面に貼り付けたときにセンターホール１１内に位置するシート３及びカバーラベル５の部位にはセンターホール１１の内径よりやや大きな径の円周線上にミシン目などの切り目７を複数等間隔で形成し、当該部位を切り取り可能としている。つまり当該部位の切り取りによりデータキャリア２のリード線部２１，２１が切断されてチップ部２０が光ディスク１から取り除かれ、データキャリア２が物理的に破壊されるようなっている。ここで上記円周線を横断するリード線部２１，２１の部位は並列に接続され且つ並行する複数の線路２１ａ…からなり、この線路２１ａの幅に対して切り目７の間隔を図２に示すように大きくしてある。
【００２１】
次に本実施形態の記録メディアＭの製造方法を次の例１及び例２により説明する。
（例１）
本例は、図３（ａ）に示すように予め音楽プログラムやゲームプログラム或いはデータが記録された光ディスク１を準備しておき、図３（ｂ）で示す第１の工程では、光ディスク１のセンタホール１１の直径より大きな直径の円形に形作られ、中央部にデータキャリア２を予め固定保持しているシート３で光ディスク１のセンターホール１１を閉塞するように、光ディスク１の記録読み出し面とは反対側のディスク面に上述の感圧接着層４で貼り付けて固定する。この場合データキャリア２を固定保持している面を光ディスク１のディスク面に対向させて貼り付けるとともにデータキャリア２のチップ部２０をセンターホール１１の中心部に配置し、アンテナ部２２をセンタホール１１の周囲のディスク面上に配置する。
【００２２】
この第１の工程が終了した後、次の第２の工程では、図３（ｃ）に示すように光ディスク１の外形よりやや小さな相似形状のカバーラベル５を、シート３を覆うように光ディスク１のディスク面に上述の感圧接着層６（図１参照）で貼り付け固定する。この貼り付け工程後、次の第３の工程において図３（ｄ）に示すようにカバーラベル５及びシート３に対してセンターホール１１の直径よりもやや大きな直径となる円周線上に一定間隔で切り目７を複数穿孔する。これにより所望の記録メディアＭが完成することになる。なお切り目７の穿孔作業は光ディスク１自体がカラーラベル５及びシート３を固定保持する部材として使用できるため穿孔用の設備側にはカラーラベル５及びシート３からなる部材を固定保持する手段が不要である。
【００２３】
ここでデータキャリア２の各リード線部２１において、上記円周線を横断する部位は、上述のように並列接続され並行する複数の線路２１ａ…により構成されているが、図２に示したように穿孔する切り目７の間隔を線路２１ａの幅より大きく設定することで、切り目７の穿孔時に線路２１ａの全てが切断されるのを防ぎ、切断されない線路２１ａを通じてアンテナ部２２とチップ部２０との電気的接続を確保することで製品不良の発生を防止している。
【００２４】
尚図３（ａ）〜（ｄ）の夫々において上側の図は上面図、下側の図は側断面図を示す。
（例２）
本例では、まず図４（ａ）に示すようにカバーラベル５を用意し、図４（ｂ）で示す第１の工程において、データキャリア２を予め保持固定しているシート３を、光ディスク１のセンターホール１１に対応するカバーラベル５の裏面中央部位に感圧接着層６により貼り付け固定する。
【００２５】
この第１の工程後、図４（ｃ）で示す第２の工程で光ディスク１のセンターホール１１を閉塞するカバーラベル５及びシート３の部位を切り取り自在とする切り目７を切り取り対象部位の外周縁に沿った円周線上に複数穿孔する。該第２の工程後、図４（ｄ）で示す第３の工程において、シート３で光ディスク１のセンターホール１１を閉塞するように、光ディスク１の記録読み出し面とは反対側のディスク面にシート３とともにカバーラベル５を上述の感圧接着層６及び４（図１参照）を用いて貼り付け固定する。これにより所望の記録メディアＭが完成することになる。尚本例の場合にも切り目７の間隔を線路２１ａの幅より大きく設定することで、切り目７の穿孔時に線路２１ａの全てが切断されるのを防ぎ、切断されない線路２１ａを通じてアンテナ部２２とチップ部２０との電気的接続を確保することで製品不良の発生を防止している。
【００２６】
尚図４（ａ）〜（ｄ）の夫々において上側の図は上面図、下側の図は側断面図を示す。
【００２７】
次に本発明の記録メディアＭを用いた流通サービスを簡単に説明する。
【００２８】
まず当該流通サービスにおいては、販売業者が記録メディアＭを販売するに際して、販売業者や販売日時等の識別情報をライタ装置によりデータキャリア２に書き込む処理を行う。そして販売業者から記録メディアＭを購入した購買者或いは購買者から贈られた者が、当該記録メディアＭの記録層に記録されているゲームプログラムや音楽プログラムを再生して楽しみたい場合にはまず切り目７を利用してセンターホール１１内に対応するシート３及びカバーラベル５の部位を切り取り、センターホール１１を露呈させる。これにより通常の光ディスクと同様に記録メディアＭをドライブ装置にセットすれば、光ディスク１の記録層に記録されているプログラムを再生して楽しむことができるのである。
【００２９】
一方プログラム再生のために上述のシート３及びカバーラベル５の切り取りを行うと、データキャリア２のチップ部２０がリード線部２１から切り離される形で光ディスク１から取り除かれるため、チップ部２０を取り除いた記録メディアＭを客が引き取り業者に持って行っても、使用済みであることが一目で分かることになり、引き取り業者が使用済みの記録メディアＭを引き取って（買い取って）しまうという過ちは回避できる。
【００３０】
つまりプログラムを再生することで当該記録メディアＭを実質的に客が購入したことになる。そして使用したにも拘わらず抜き取ったチップ部２０を含む部位を抜き取り部位に嵌め込んで、外観的に未使用状態に偽装したとしても、切断されたリード部２１，２１を外観上見破られないように接合するのは非常に困難であるため、リーダー装置によってデータキャリア２に書き込まれた識別情報を読み取ることができず、当該記録メディアＭが使用済みであることを容易に見破ることができ、偽装した使用済みの記録メディアＭの引き取り（買い取り）を防ぐことができるのである。また最初から偽造された記憶メディアＭではデータキャリア２の記録情報の読み取りによって見破ることもできるのである。
【００３１】
さて販売業者から記録メディアＭを購入したものの、他のプログラムの記録メディアＭが欲しくなったり、或いは不要となった場合、客は当該記録メディアＭを引き取り業者（買い取り業者）に所定の料金で引き取って（買い取って）貰ったり、等価物との交換を行うことが当該流通サービスでは可能となっている。
【００３２】
つまり客は未使用の記録メディアＭを引き取り業者に持って行けば良く、引き取り業者は持参された記録メディアＭが未使用かどうかを外観上で確認し、更にリーダー装置によりデータキャリア２に記録されている識別情報を読み出し、識別情報に基づいて当該記録メディアＭが買い取り対象品であることを判断し、所定料金で買い取るか或いは等価物との交換に応じるのである。この場合販売業者が当該引き取り業者と取引関係にあるのかどうかの判断をも識別情報から行い、また販売日時からの経過日時を判断し、経過日時に応じた料金決定や引き取り拒否などの判断に使用する。引き取り業者は引き取った（買い取った）記録メディアＭを販売業者に転売することで記録メディアＭを商品として流通に還流させることができることになる。
【図面の簡単な説明】
【００３３】
【図１】一実施形態を示し、（ａ）は分解状態を示す側断面図、（ｂ）は側断面図、（ｃ）は下面図である。
【図２】一実施形態における切り目とデータキャリアのリード線部の線路との関係説明図である。
【図３】一実施形態を製造する方法の例１の工程説明図である。
【図４】一実施形態を製造する方法の例２の工程説明図である。
【図５】従来例の切り目とデータキャリアのリード線部の関係説明図である。
【符号の説明】
【００３４】
１    光ディスク
１０  金属反射膜層
１１  センターホール
２    データキャリア
２０  チップ部
２１  リード線部
２１ａ  線路
２２  アンテナ部
３    シート
４    感圧接着層
５    カバーラベル
６    感圧接着層
７    切り目
Ｍ    記録メディア
【図１】
2006154966.tif 000003
【図２】
2006154966.tif 000004
【図３】
2006154966.tif 000005
【図４】
2006154966.tif 000006
【図５】
2006154966.tif 000007